(57)【要約】【課題】ハウジングから引き出された各電線が所定以上の角度で屈曲させられるのを防止する。【解決手段】電線カバー６０は、ハウジング３０に取り付けられ、ハウジング３０の後面側から後方へ向けて幅狭になりながら延び、内側に各電線１００がハウジング３０の後面側に対し屈曲して延びるように収容される第１部６１を有するとともに、第１部６１の後端から後方へ向けて延び、内側に各電線１００がほぼ真直ぐ延びるように収容される第２部６２を有する。第２部６２には、第２部６２内に収容された各電線１００を結束して固定する結束バンド９０が取り付けられる。【選択図】図３
2013101760.tif 000002
【特許請求の範囲】
【請求項１】
電線の端末部に接続される複数の端子金具と、
前記各端子金具が収容され、後面から複数の電線が引き出されるハウジングと、
前記ハウジングに取り付けられ、前記ハウジングの後面側から後方へ向けて幅狭になりながら延び、内側に前記各電線が前記ハウジングの後面側に対し屈曲して延びるように収容される第１部を有するとともに、前記第１部の後端から後方へ向けて延び、内側に前記各電線が収容される第２部を有する電線カバーと、
前記第２部に取り付けられ、前記第２部内に収容された各電線を結束して固定する結束バンドとを備えることを特徴とするコネクタ。
【請求項２】
前記各電線の前端部にはゴム栓が嵌着され、前記ゴム栓が前記ハウジング内に収容されていることを特徴とする請求項１記載のコネクタ。
【請求項３】
前記第２部には、前記結束バンドを通す挿通孔が開口して形成されていることを特徴とする請求項１又は２記載のコネクタ。
【請求項４】
前記結束バンドが、前記第２部の前端部に取り付けられていることを特徴とする請求項１ないし３のいずれか１項記載のコネクタ。
【請求項５】
前記第２部の外面には、前記結束バンドの取り付け位置が前後方向に位置ずれするのを規制する位置決め部が形成されていることを特徴とする請求項１ないし４のいずれか１項記載のコネクタ。
【請求項６】
前記第２部の外面には、互いに平行でかつ幅方向に延びる一対の位置決め壁が突出して形成され、前記位置決め部の前後両端は、前記両位置決め壁によって区画されており、かつ、前記結束バンドには、結束状態を保持する固定部が膨出して形成され、前記固定部が、前記結束バンドの巻き付け方向で前記両位置決め壁と当接可能に配置されることを特徴とする請求項５記載のコネクタ。
【発明の詳細な説明】
【技術分野】
【０００１】
本発明は、コネクタに関する。
【背景技術】
【０００２】
従来のコネクタが特許文献１に開示されている。このものは、電線の端末部に接続された複数の端子金具と、各端子金具が収容されるハウジングと、ハウジングの後端部に取り付けられる電線カバーとを備えている。各電線はハウジングの後面から引き出されて電線カバー内に収容される。また、電線カバーは、ハウジングの後面側から後方へ向けて幅狭になりながら延びる第１部と、第１部の後端から後方へ向けてほぼ真直ぐ延びる第２部とを有している。
【先行技術文献】
【特許文献】
【０００３】
【特許文献１】特開２００５−１４９９４１号公報
【発明の概要】
【発明が解決しようとする課題】
【０００４】
上記従来のコネクタによれば、ハウジングの後面から引き出された各電線が、第１部の内壁に沿うようにしてハウジングの後面側に対し所定角度で屈曲させられる。しかし、上記の場合、各電線の屈曲動作を内側で規制するものが特に設けられていないため、各電線が所定以上の角度で屈曲させられ、その屈曲部位に大きな負荷が加わるおそれがある。とりわけ、各電線の前端部にゴム栓が嵌着されている場合に、各電線が大きく屈曲させられると、その屈曲方向にゴム栓も大きく弾性変形させられて電線との間の密着状態を充分に維持することができなくなり、シール性が低下するという事情がある。
【０００５】
本発明は上記のような事情に基づいて完成されたものであって、ハウジングから引き出された各電線が所定以上の角度で屈曲させられるのを防止することを目的とする。
【課題を解決するための手段】
【０００６】
上記の目的を達成するための手段として、請求項１の発明は、電線の端末部に接続される複数の端子金具と、前記各端子金具が収容され、後面から複数の電線が引き出されるハウジングと、前記ハウジングに取り付けられ、前記ハウジングの後面側から後方へ向けて幅狭になりながら延び、内側に前記各電線が前記ハウジングの後面側に対し屈曲して延びるように収容される第１部を有するとともに、前記第１部の後端から後方へ向けて延び、内側に前記各電線が収容される第２部を有する電線カバーと、前記第２部に取り付けられ、前記第２部内に収容された各電線を結束して固定する結束バンドとを備えるところに特徴を有する。
【０００７】
請求項２の発明は、請求項１に記載のものにおいて、前記各電線の前端部にはゴム栓が嵌着され、前記ゴム栓が前記ハウジング内に収容されているところに特徴を有する。
【０００８】
請求項３の発明は、請求項１又は２に記載のものにおいて、前記第２部には、前記結束バンドを通す挿通孔が貫通して形成されているところに特徴を有する。
【０００９】
請求項４の発明は、請求項１ないし３のいずれか１項に記載のものにおいて、前記結束バンドが、前記第２部の前端部に取り付けられているところに特徴を有する。
【００１０】
請求項５の発明は、請求項１ないし４のいずれか１項に記載のものにおいて、前記第２部の外面には、前記結束バンドの取り付け位置が前後方向に位置ずれするのを規制する位置決め部が形成されているところに特徴を有する。
【００１１】
請求項６の発明は、請求項５に記載のものにおいて、前記第２部の外面には、互いに平行でかつ幅方向に延びる一対の位置決め壁が突出して形成され、前記位置決め部の前後両端は、前記両位置決め壁によって区画されており、かつ、前記結束バンドには、結束状態を保持する固定部が膨出して形成され、前記固定部が、前記結束バンドの巻き付け方向で前記両位置決め壁と当接可能に配置されるところに特徴を有する。
【発明の効果】
【００１２】
＜請求項１の発明＞
各電線が第２部において結束バンドで結束されて固定されるため、第１部における各電線の屈曲角度が所定角度に定められる。したがって、各電線が所定以上の角度で大きく屈曲させられる事態が防止される。
【００１３】
＜請求項２の発明＞
各電線の前端部にはゴム栓が嵌着され、ゴム栓がハウジング内に収容されているため、第１部においてゴム栓が所定以上の角度で大きく屈曲させられると、その屈曲方向にゴム栓が弾性変形させられ、所定のシール性を維持することができない懸念がある。しかるに本発明によれば、結束バンドによって各電線の屈曲角度が所定角度に定められるため、ゴム栓が過剰に弾性変形させられることはなく、所定のシール性を維持することができる。
【００１４】
＜請求項３の発明＞
第２部に結束バンドを通す挿通孔が貫通して形成されているため、結束位置が位置ずれするのが防止される。
【００１５】
＜請求項４の発明＞
結束バンドが第２部の前端部に取り付けられているため、ハウジングの後面から第２部に至るまでの第１部において電線の屈曲角度が所定角度に確実に定められる。
【００１６】
＜請求項５の発明＞
第２部の外面には結束バンドの取り付け位置が前後方向に位置ずれするのを規制する位置決め部が形成されているため、結束位置が位置ずれするのが確実に防止される。
【００１７】
＜請求項６の発明＞
結束バンドには結束状態を保持する固定部が膨出して形成され、固定部が結束バンドの巻き付け方向で両位置決め壁と当接可能に配置されるため、固定部が結束バンドの巻き付け方向に略位置決めされる。
【図面の簡単な説明】
【００１８】
【図１】本発明の実施形態１に係るコネクタの平面図である。
【図２】コネクタの底面図である。
【図３】コネクタの断面図である。
【図４】電線カバーの平面図である。
【図５】電線カバーの底面図である。
【図６】電線カバーの側面図である。
【図７】図６のＸ−Ｘ線断面図である。
【図８】電線カバーの背面図である。
【発明を実施するための形態】
【００１９】
＜実施形態１＞
本発明の実施形態１を図１ないし図８によって説明する。本実施形態に係るコネクタ１０は、複数の端子金具２０と、ハウジング３０と、電線カバー６０と、結束バンド９０とを備える。そして、コネクタ１０は、図示しない相手コネクタと嵌合可能とされている。なお、以下の説明において、前後方向については相手コネクタとの嵌合側を前方とする。
【００２０】
端子金具２０は、導電性の金属板を曲げ加工等して一体に成形され、図３に示すように、本体部２１とバレル部２２とを有している。本体部２１は、角筒状をなし、内部に相手側の雄タブ（図示せず）が挿入されて接続される。バレル部２２は、電線１００の前端部に嵌着されたゴム栓２００又は電線１００に圧着されて接続されている。各端子金具２０及び各ゴム栓２００は、比較的小型の小型端子２１及び小型ゴム栓２１０と、比較的大型の大型端子２３及び大型ゴム栓２２０とで構成されている。
【００２１】
ハウジング３０は合成樹脂製であって、図３に示すように、幅方向に長い角ブロック状のハウジング本体３１と、ハウジング本体３１の周りを取り囲む嵌合筒部３２とを有している。ハウジング本体３１と嵌合筒部３２との間には相手コネクタが嵌合される嵌合空間３３が形成されている。ハウジング本体３１の外周面にはシールリング３００が嵌着されている。両コネクタの嵌合時にはハウジング本体３１と相手コネクタとの間にシールリング３００が弾性的に圧縮させられ、これによって相手コネクタとの間が液密にシールされるようになっている。
【００２２】
また、ハウジング本体３１の内部には複数のキャビティ３４が幅方向に整列して形成されている。各キャビティ３４は、ハウジング本体３１の幅方向両端部に位置する比較的大型の大キャビティ３５と、ハウジング本体３１の幅方向中央部に位置する比較的小型の小キャビティ３６とで構成されている。大キャビティ３５には、後方から大型端子２３及び大型ゴム栓２２０が挿入されて収容され、小キャビティ３６には、後方から小型端子２１及び小型ゴム栓２１０が挿入されて収容されるようになっている。
【００２３】
ハウジング本体３１の後面は、各端子金具２０に接続された電線１００が引き出される面とされ、このうち、大キャビティ３５と対応する位置には大型ゴム栓２２０の略後半部を収容する一対の筒部３７が後方へ突出して形成されている。各ゴム栓２００は、電線１００の外周面及びキャビティ３４の内周面にそれぞれ弾性的に密着させられ、これによって電線１００周り及びハウジング本体３１内を液密にシールする役割をはたす。また、図１及び図２に示すように、ハウジング３０の上下両面の後端には、幅方向に一対ずつのハウジング側ロック片３８が後方へ突出して形成されている。各ハウジング側ロック片３８の先端部には、ロック突起３９が外向きに突出して形成されている。
【００２４】
電線カバー６０は合成樹脂製であって全体として板状をなし、図４に示すように、後方へ向けて次第に幅寸法を狭めるように延びる第１部６１と、第１部６１の後端（幅狭端）から後方へ向けてほぼ真直ぐ延びる第２部６２とを有している。第２部６２は、電線カバー６０の幅方向中央部において第１部６１の後端に連結され、第１部６１とほぼ同じ前後長さを有している。
【００２５】
第１部６１は、図４ないし図６に示すように、ハウジング３０の後面側から後方へ向けて次第に幅寸法を狭めるとともに次第にせり上がる底壁６３と、底壁６３の幅方向両側縁から立ち上がる一対の側壁６４と、両側壁６４の上端から幅方向中心側へ張り出す一対の庇壁６５とを有している。底壁６３、両側壁６４、及び両庇壁６５で区画される内側の空間は各電線１００の収容空間６６とされている（図３を参照）。底壁６３の内面には、ハウジング３０の後面から引き出された各電線１００が支持され、両側壁６４の内面には、幅方向両端側に位置する各電線１００が当接可能に配置されている。両庇壁６５は、収容空間６６を挟んで底壁６３とほぼ平行に対向して配置され、両庇壁６５の内端は、前後方向に沿って互いにほぼ平行に配置されている。
【００２６】
第１部６１の前端部には、ハウジング３０の後面に当接可能な当接部６７が形成されている。当接部６７はほぼ前後方向に延びて配置され、当接部６７の外面はその後方領域の外面と段付き状に連なり、当接部６７の板厚はその後方領域の板厚よりも薄くされている。
【００２７】
また、底壁６３及び両庇壁６５の各外面の前端部には、図８に示すように、幅方向に一対ずつのカバー側ロック片６８が前方へ突出して形成されている。各カバー側ロック片６８は当接部６７の外側に配置され、図６に示すように、各カバー側ロック片６８と当接部６７との間には、各ハウジング側ロック片３８の進入空間６９が形成されている。そして、各カバー側ロック片６８には、ロック孔７１が開口して形成されている。
【００２８】
第２部６２は、断面略半円孤状をなし（図７を参照）、全体として前後方向に樋状に延びる形態とされている。第２部６２の内外両面は、第１部６１の内外両面に段差無く連なっている。一方、図６に示すように、第２部６２の上端（幅方向両端）は、第１部６１の両側壁６４の上端に段付き状に連なり、両側壁６４の上端から一段落ちて配置されている。
【００２９】
第２部６２の内面の後部には、図４に示すように、前後方向に間隔をあけて複数のリブ７２が形成されている。各リブ７２は、幅方向（周方向）に延びて第２部６２の幅方向両端に至る形態とされている。そして、各リブ７２は、図３に示すように、蛇腹状のコルゲートチューブ５０の外周面に周設された凹溝５１内に嵌着され、第２部６２に対してコルゲートチューブ５０を位置決めする役割をはたす。コルゲートチューブ５０は、その内側に各電線１００を挿通させた状態で各リブ７２によって位置決めされ、かつ、第２部６２に対してテープ４００を巻いて一体に固定されるようになっている（図１を参照）。
【００３０】
また、第２部６２の前端部（第１部６１に対する連結部位）には、図１及び図２に示すように、結束バンド９０が取り付けられるようになっている。ここで、結束バンド９０は、可撓帯状のバンド本体９１と、バンド本体９１の一端部に膨出して形成された角ブロック状の固定部９２とからなる。固定部９２には、バンド本体９１の他端部側が挿通されて所望の位置で固定され、これによって各電線１００に巻き付け可能な環状構造をとるようになっている。なお、かかる結束バンド９０としては、周知のタイバンドを使用することができる。
【００３１】
第２部６２の前端部の幅方向両端側には、結束バンド９０を通す一対の挿通孔７３が貫通して形成されている。両挿通孔７３は、互いに同じ前後位置に配置され、第２部６２内を上下方向（高さ方向）にほぼ真直ぐ延びるように貫通し（図７を参照）、かつ第２部６２の内外両面の幅方向両端部に矩形スリット状に開口する形態とされている。結束バンド９０は、両挿通孔７３に挿通された状態で、第２部６２内の各電線１００に上方から当接しつつ両挿通孔７３間に架け渡して配置されるとともに、第２部６２の外面（下面）に下方から当接しつつ両挿通孔７３間に架け渡して配置される。
【００３２】
また、図５及び図６に示すように、第２部６２の外面には、その前端部の幅方向中央部に、幅方向に延びる前後一対の位置決め壁７４が突出して形成されている。両位置決め壁７４は、図２に示すように、結束バンド９０のバンド本体９１の前後幅に対応する距離をあけて互いに平行に対向して配置されている。第２部６２の外面における両位置決め壁７４間には、位置決め部７５が前後方向に沿って形成され、位置決め部７５内に結束バンド９０のバンド本体９１が位置決め状態で収容されるようになっている。
【００３３】
次に、本実施形態に係るコネクタ１０の作用を説明する。
組み付けに際し、ハウジング本体３１の各キャビティ３４内には後方からゴム栓２００及び電線１００付きの端子金具２０が挿入される。各キャビティ３４内に端子金具２０が正規挿入されると、各ゴム栓２００がキャビティ３４の内周面に密着させられ、かつ各ゴム栓２００の後端部がハウジング本体３１の後面から後方へ少し突出して配置される。この場合、大型ゴム栓２２０の後端が小型ゴム栓２１０の後端よりも後方に位置するように設定されている。
【００３４】
続いて、ハウジング本体３１の後面に電線カバー６０が取り付けられる。取り付けの過程では、各カバー側ロック片６８が各ハウジング側ロック片３８のロック突起３９と干渉して外側に撓み変形させられ、取り付けの完了時には、各ハウジング側ロック片３８が弾性復帰して、ロック孔７１にロック突起３９が嵌り込む。これにより、各ハウジング側ロック片３８が各カバー側ロック片６８に係止され、電線カバー６０がハウジング３０に取り付け固定される（図１及び図２を参照）。
【００３５】
上記の場合、各電線１００は、両庇壁６５の内端間の隙間を通して第１部６１の収容空間６６内に挿入され、かつ、第１部６１よりも後方の部分がコルゲートチューブ５０内に挿通された状態でコルゲートチューブ５０の取り付けに伴い第２部６２内に挿入される。第１部６１に収容された各電線１００は、前後方向に対してゴム栓２００の後端から屈曲させられる。この場合、各電線１００は、幅方向両端側に位置するものほど屈曲角度が大きくされ、幅方向中央部に位置するものでは前後方向に沿ってほぼ真直ぐ配置されるように設定されている。
【００３６】
上記と前後して、電線カバー６０の第２部６２の前端部に結束バンド９０が取り付けられる。結束バンド９０のバンド本体９１は、両挿通孔７３のうちの一方の挿通孔７３に挿通されて第２部６２の内側に臨み、第２部６２内に配置された各電線１００に外側から巻き付くように当接させられる。その状態で、バンド本体９１の巻き付け先端部が、他方の挿通孔７３に挿通されて第２部６２の外側に臨み、第２部６２の外側で待ち受ける固定部９２に挿通されて緊密に締結される。これにより、第２部６２内に配置された各電線１００は、結束バンド９０によって結束して固定され、その結束位置とハウジング３０の後面側との間における屈曲角度が所定値に保持される。このため、幅方向両端側に位置する各電線１００が幅方向中心側へ過剰に屈曲させられることがなく、各電線１００の屈曲方向にゴム栓２００が過剰に弾性変形されることもない。その結果、各電線１００と各ゴム栓２００との間に隙間があくのが回避され、ゴム栓２００による所定のシール性が維持されることになる。また、適宜のタイミングで、コルゲートチューブ５０と第２部６２とにテープ４００が巻き付けられ、コルゲートチューブ５０が第２部６２に固定される。
【００３７】
なお、図２に示すように、バンド本体９１は、結束状態では、第２部６２の位置決め部７５に前後方向に位置決めされた状態で挿通される。また、固定部９２は、結束状態では、第２部６２の外面側において幅方向（結束バンド９０の巻き付け方向）で両位置決め壁７４と対向する位置に当接可能に配置される。このため、固定部９２の移動範囲が他方の挿通孔７３と両位置決め壁７４との間に限定され、結束バンド９０の巻き付け方向に固定部９２が過剰に移動するのが回避される。
【００３８】
以上説明したように、本実施形態によれば、各電線１００が第２部６２において結束バンド９０で結束されて固定されるため、第１部６１における各電線１００の屈曲角度が所定角度に定められる。したがって、各電線１００が所定以上の角度で大きく屈曲する事態が防止される。この場合に、各電線１００の前端部にはゴム栓２００が嵌着され、ゴム栓２００がハウジング３０内に収容されているものの、上記のように、結束バンド９０によって各電線１００の屈曲角度が所定角度に定められるため、ゴム栓２００が過剰に弾性変形させられることはなく、所定のシール性を維持することができる。
【００３９】
また、第２部６２に結束バンド９０を通す挿通孔７３が貫通して形成されているため、結束位置が位置ずれするのが防止される。さらに、結束バンド９０が第２部６２の前端部に取り付けられているため、ハウジング３０の後面から第２部６２に至るまでの第１部６１において各電線１００の屈曲角度が所定角度に確実に定められる。しかも、第２部６２の外面には結束バンド９０の取り付け位置が前後方向に位置ずれするのを規制する位置決め部７５が形成されているため、結束位置が位置ずれするのがより確実に防止される。
【００４０】
そして、結束バンド９０には結束状態を保持する固定部９２が膨出して形成され、固定部９２が結束バンド９０の巻き付け方向で両位置決め壁７４と当接可能に配置されるため、固定部９２が両位置決め壁７４と当接することにより、巻き付け方向における結束バンド９０のそれ以上の移動動作が阻止される。したがって、結束バンド９０が第２部６２に対して巻き付け方向に略位置決めされ、結束信頼性がより高められる。
【００４１】
＜他の実施形態＞
本発明は上記記述及び図面によって説明した実施形態に限定されるものではなく、例えば次のような実施形態も本発明の技術的範囲に含まれる。
（１）結束バンドは、各電線を結束して固定することが可能であればよく、上記形態のものに限定されない。
（２）挿通孔を省略することも可能である。その場合、例えば、第２部の上端部に切り欠きを形成し、その切り欠きに結束バンドが挿通されるようにしてもよい。
（３）位置決め壁を省略することも可能である。その場合、例えば、第２部の外面に位置決め部のみを凹み形成してもよい。
（４）結束バンドは、第２部の前端部ばかりでなく後端部にも取り付けられるものであってもよい。
（５）コルゲートチューブを省略することも可能である。
【符号の説明】
【００４２】
１０…コネクタ
２０…端子金具
３０…ハウジング
６０…電線カバー
６１…第１部
６２…第２部
７３…挿通孔
７４…位置決め壁
７５…位置決め部
９０…結束バンド
９２…固定部
１００…電線
２００…ゴム栓
【図１】
2013101760.tif 000003
【図２】
2013101760.tif 000004
【図３】
2013101760.tif 000005
【図４】
2013101760.tif 000006
【図５】
2013101760.tif 000007
【図６】
2013101760.tif 000008
【図７】
2013101760.tif 000009
【図８】
2013101760.tif 000010